(57)【要約】【構成】光源によって励起されたときに蛍光を発光できる種を含有するサンプルまたはサンプル成分を分析する分析システムおよび分析方法である。ここで使用する光源は、電圧／電流調整回路を持つ高電圧電源を備えたエキシマー光源からなる。【選択図】図２Ａ
2012508890.tif 000002
【特許請求の範囲】
【請求項１】
サンプルまたはサンプル成分の分析装置において、
サンプルを供給するサンプル供給システムを有し；
エキシマー光源および高電圧電源を備え、このエキシマー光源が検出すべき蛍光活性種の最適な吸収周波数を中心とした狭い波長帯または周波数帯をもつ励起光を発光する光源装置を有し、
サンプルを受け取るサンプル入口と、
検出チャンバーからサンプルを排出するサンプル出口と、
エキシマー光源と光学的に連絡し、かつ検出チャンバーへの励起光を受け取る励起光入口と、そして
励起光によって励起された検出チャンバー内の蛍光活性種が発光する蛍光の一部を受け取る蛍光出口を備えた検出チャンバーを有し、かつ
上記光出口と光学的に連絡し、かつこの光出口を通る蛍光の強度を検出し、この蛍光強度を比例的な電流信号に転換する検出素子を有する検出システムを有し；そして
上記検出素子と電気的に連絡し、この検出素子からの電流信号を検出チャンバー中の蛍光活性種の濃度およびサンプル中の対応する元素の濃度に転換する分析素子を有することを特徴とする分析装置。
【請求項２】
さらに燃焼システムをサンプル供給システムと検出システムとの間に配設し、この燃焼システムが、
燃焼域、
酸化剤供給サブシステム、
サンプル入口、
少なくとも一つの酸化剤入口、
検出チャンバーのサンプル入口に接続された出口、および
燃焼域を高温に維持するヒーター素子を備え、そして
この燃焼システムで、サンプル中のほぼすべての酸化性成分を対応する酸化物に酸化する請求項１に記載の分析装置。
【請求項３】
サンプルが炭化水素含有サンプル、燃料、化学反応装置流れ、精製装置流れ、または通気管ガス流れである請求項１に記載の分析装置。
【請求項４】
ガソリン、灯油、ジェット燃料、ディーゼル燃料、他の炭化水素系燃料、およびこれらの混合体または複合体からなる群から上記燃料を選択する請求項３に記載の分析装置。
【請求項５】
窒素、硫黄およびこれらの混合体または複合体からなる群から上記元素を選択する請求項１に記載の分析装置。
【請求項６】
上記蛍光活性種が二酸化硫黄、上記エキシマー光源が塩化クリプトンガスエキシマー光源、そして上記波長帯の中心が約２２２ｎｍである請求項５に記載の分析装置。
【請求項７】
オートサンプラー、直接注入用セプタム、連続サンプリング用サンプリングループ、分析分離システムおよびこれらの混合体または複合体からなる群から上記サンプル供給システムを選択する請求項１に記載の分析装置。
【請求項８】
ＧＣ、ＬＣ、ＭＰＬＣ、ＨＰＬＣ、ＬＰＬＣ、電気泳動装置およびこれらの混合体または複合体からなる群から上記分析分離システムを選択する請求項９に記載の分析装置。
【請求項９】
さらに、上記光源の出力光特性値を連続的にモニタリングする光センサー素子、および現時点での光源出力特性値を受け取り、現時点での値を検定処理時に誘導された所定組の光源出力特製値と比較し、変化値を出力し、この変化値に基づいて検出素子信号を調整する処理ユニットからなるソフトウェア検出素子信号フィードバック補正装置を備えた請求項１に記載の分析装置。
【請求項１０】
上記高電圧電源が、
入力ＤＣ電圧を出力するＤＣ電源、
ブリッジ制御素子、
スイッチユニット、
変圧器、
周波数設定抵抗素子、
電流センサー素子、
分圧素子、
電圧測定装置、
シャント抵抗素子、および
電流測定装置を有し、
エキシマー光源に供給されている電圧および電流をブリッジ制御素子によって制御し、検定間にある所望レベルに励起光強度を維持する請求項１に記載の分析装置。
【請求項１１】
サンプル供給ユニットと；、
酸化剤供給ユニットと；
燃焼域、およびサンプルの酸化性成分を対応する酸化物および水に酸化するのに十分な温度に燃焼域を維持するヒーター素子を備えた炉；
検出チャンバーと、
上記炉と検出チャンバーとを相互接続する伝達管と、
検出チャンバーと光学的に連絡し、検出すべき蛍光活性種の最適吸収周波数を中心とした狭い波長帯または周波数帯の光を発光するエキシマー光源と、
検出チャンバーと光学的に連絡して、励起光によって励起された検出チャンバー内の蛍光活性種によって発光した蛍光の一部を検出する光検出素子と、そして
光検出素子の出力を少なくともの一つの酸化物の元素のサンプルにおける濃度に転換する分析素子を備えた検出システムを有する装置にサンプルを供給する工程、
サンプルの酸化性化合物を対応する酸化物および水に酸化して酸化処理混合物を形成する工程、
酸化処理混合物を検出チャンバーに送る工程、
励起光で酸化処理混合物の酸化物を励起して蛍光活性種を形成する工程、
励起光に励起された検出チャンバー内の蛍光活性種が発光する蛍光部分を検出する工程、および
励起光によって励起された検出チャンバー内の蛍光活性種が発光する蛍光部分からサンプル内の所定元素の濃度を決定する工程からなることを特徴とする方法。
【請求項１２】
さらに、光源の出力光特性値を連続的にモニタリングする光検出素子、および現時点での光源出力特性値を受け取り、現時点での値を検定処理時に誘導された所定組の光源出力特製値と比較し、変化値を出力する処理ユニットからなるソフトウェア検出素子信号フィードバック補正装置によって決定された光出力変化値に基づいて検出素子信号を調整する請求項１１に記載の方法。
【発明の詳細な説明】
【技術分野】
【０００１】
本発明は、蛍光検出サブシステムを有するサンプルまたはサンプル成分の分析システムまたは分析装置、およびこれらの製造方法および使用方法に関する。
【０００２】
より具体的には、本発明はサンプルまたはサンプル成分の分析システムまたは分析装置、およびこれらの製造方法および使用方法であって、実施態様にもよるが、高電圧、高周波電流および電圧制御式電源を有する蛍光検出サブシステム、ソフトウェア検出補正装置およびエキシマー光源またはランプを有する光源を備えた上記システムに関する。
【背景技術】
【０００３】
紫外線蛍光は、サンプルの硫黄分を検出し、定量化するために利用されている一般的な技術である。最新の蛍光器具の場合、サンプルと相互作用する光の狭い波長帯または周波数帯を対象として設計されたフィルターを備えたブロードなスペクトル光源を利用している。一般的に、光は光チャンバー内のサンプルまたはサンプル成分中の蛍光活性化合物と相互作用する。なお、サンプルはサンプルループを介して、あるいはクロマトグラフィーカラムから光チャンバーに直接供給できる。
【０００４】
ブロードなスペクトル光源のほかに、光源には原子蒸気ランプも利用されている。これらランプは波長帯または周波数帯がより狭く、フィルター機能はそれほど必要ないが、これらランプは光出力が経時的に一定の割合で小さくなる傾向がある。このような経時的な光出力低下は、結果的にシステム装置の安定性に関する、またシステム装置の検出限界に関する問題を生じる。紫外線蛍光検出の場合、亜鉛ランプ、カドミウムランプやその他の金属ランプが光源として利用されている。ところが、これらランプの多くは、ＳＯ２の紫外線蛍光検出などのある種の検出のためには最適とはいえない光を発光する。ＳＯ２は約１９０ｎｍと約２３０ｎｍとの間にある紫外光を吸収する。ＮＯもこの帯域にある紫外光を吸収するが、ＮＯ吸収スペクトルは、約２１５ｎｍと約２２５ｎｍとの間に（光を吸収しない）ギャップをもつ。亜鉛ランプは２２０ｎｍに中心をもつ光を発光するが、フィルターにかけても発光光は２２０ｎｍよりも広く、ＳＯ２検出に干渉するＮＯを励起できる光を含む。
【０００５】
ＵＳＰ７，２６８，３５５には、光源として特別に設計されたエキシマーランプを使用した紫外線蛍光装置が開示されている。このランプの場合、クリプトン／塩素混合物を利用して、約２２２ｎｍに中心がある狭い波長帯の光を発光する。
【先行技術文献】
【特許文献】
【０００６】
【特許文献１】ＵＳＰ７，２６８，３５５
【特許文献２】ＵＳＰ４９０４６０６
【特許文献３】ＵＳＰ４９１４０３７
【特許文献４】ＵＳＰ４９１６０７７
【特許文献５】ＵＳＰ４９５０４５６
【特許文献６】ＵＳＰ５９１６５２３
【特許文献７】ＵＳＰ６０７５６０９
【特許文献８】ＵＳＰ６１４３２４５
【特許文献９】ＵＳＰ６４５８３２８
【特許文献１０】ＵＳＰ６６３６３１４
【特許文献１１】ＵＳＰ７０１８８４５
【特許文献１２】ＵＳＰ７２４４３９５
【特許文献１３】ＵＳＰ７２９１２０３
【特許文献１４】ＵＳＰ１０／９７０６８６
【特許文献１５】ＵＳＰ１０／９７０３５３
【特許文献１６】ＵＳＰ１１／９４９６１０
【特許文献１７】ＵＳＰ１１／８３４４９５
【特許文献１８】ＵＳＰ１１／８３４５０９
【特許文献１９】ＵＳＰ１１／８３４５１４
【発明の概要】
【発明が解決しようとする課題】
【０００７】
分析機器を使用対象とするエキシマー光源またはランプが開示されているが、当業界において紫外線蛍光機器を使用対象としたエキシマー光源またはランプの改良が必要である。特に、これは、電圧／電流制御サブシステムおよび／またはソフトウェア検出信号調整サブシステムを備えたエキシマー光源またはランプなどの蛍光光源を備え、安定性および信頼性を改善し、かつ全硫黄分および／または全窒素分の検出レベルを低く設定した分析機器についていえる。
【課題を解決するための手段】
【０００８】
本発明の実施態様は、サンプル供給搬送サブシステム、場合に応じて設けられる酸化処理サブシステム、検出サブシステムおよび分析素子サブシステムを備えた、サンプルまたはサンプル成分の分析システムまたは分析装置を提供するものである。サンプル供給搬送サブシステムは、直接注入装置、サンプルループ装置、インライン式サンプリング装置、クロマトグラフィーユニット（例えば、ＧＣ、ＬＣ、ＨＰＬＣなど）またはその他のサンプル分離ユニットで構成できる。酸化処理サブシステムは、酸化処理域をもつ燃焼管を備え、この酸化処理域内で、すべての酸化性サンプル成分を対応する酸化物にほぼ完全に転換できる。検出サブシステムは電流および電圧をタイトに制御できる高周波／高電圧電源を備えた光源、場合に応じて設けられるソフトウェア検出信号調整サブシステム、検出チャンバー、および検出素子を備える。分析素子サブシステムは、一般的にいって、（コンピュータを使用できる）デジタル処理ユニット、メモリー、表示素子、印刷素子、大容量記憶素子、通信ハードウェア／ソフトウェア、他の公知周辺素子、および検出素子信号を受信分析するソフトウェアを備える。光源としては、金属蒸気ランプ、ガスランプまたは他のブロードスペクトル光源などのフィルター処理式ブロードスペクトル光源、フィルター処理式または非フィルター処理式エキシマー光源、あるいはフィルター処理式または非フィルター処理式レーザー光源を使用できる。
【０００９】
また、本発明の実施態様は、サンプル供給搬送サブシステム、酸化処理サブシステム、検出サブシステム、および分析素子サブシステムを備えた、サンプルまたはサンプル成分の分析システムまたは分析装置を提供するものである。サンプル供給搬送サブシステムは直接注入装置、サンプルループ装置、インライン式サンプリング装置、クロマトグラフィーユニット（例えば、ＧＣ、ＬＣ、ＨＰＬＣなど）またはその他のサンプル分離ユニットで構成できる。酸化処理サブシステムは、酸化処理域をもつ燃焼管を備え、この酸化処理域内で、すべての酸化性サンプル成分を対応する酸化物にほぼ完全に転換できる。検出サブシステムは電流および電圧をタイトに制御できる高周波電源を備えた光源、場合に応じて設けられるソフトウェア検出信号調整サブシステム、検出チャンバー、および検出素子を備える。分析素子サブシステムは、一般的にいって、（コンピュータを使用できる）デジタル処理ユニット、メモリー、表示素子、印刷素子、大容量記憶素子、通信ハードウェア／ソフトウェア、他の公知周辺素子、および検出素子信号を受信分析するソフトウェアを備える。光源としては、金属蒸気ランプ、ガスランプまたは他のブロードスペクトル光源などのフィルター処理式ブロードスペクトル光源、フィルター処理式または非フィルター処理式エキシマー光源、あるいはフィルター処理式または非フィルター処理式レーザー光源を使用できる。
【００１０】
また、本発明の実施態様は、本発明システムにサンプルを供給するステップを有するサンプルまたはサンプル成分の分析方法を提供する。この分析方法は、サンプルを成分に分離するステップを有していてもよい。さらに、蛍光検出に先立ってサンプルまたはサンプル成分を対応する酸化物に酸化するステップを有していてもよい。サンプルまたはサンプル成分が適正な検出状態になったなら、サンプルまたはサンプル成分を検出サブシステムに送り出し、ここでサンプルまたはサンプル成分が蛍光反応チャンバーに流入し、光源から光を吸収する。サンプルまたはサンプル成分の一部が、励起サンプルまたは励起サンプル成分に転換する。励起サンプルまたは励起サンプル成分の一部が蛍光発光し、蛍光の一部が光反応チャンバーから出、検出素子入口から検出素子に流入する。検出素子では、検出素子に流入する多数の光子（蛍光強度）が比例電気信号に転換する。次にこの電気信号が分析装置で分析され、そしてサンプルまたはサンプル成分の蛍光活性種の濃度に関連付けられ、即ちサンプルまたはサンプル成分の硫黄、窒素などの原子種の濃度に関連付けられる。光源としては、金属蒸気ランプ、ガスランプまたは他のブロードスペクトル光源などのフィルター処理式ブロードスペクトル光源、フィルター処理式または非フィルター処理式エキシマー光源、あるいはフィルター処理式または非フィルター処理式レーザー光源を使用できる。
【００１１】
例えば、蛍光活性種が二酸化硫黄（ＳＯ２）の場合には、電気信号は光反応チャンバーの二酸化硫黄の量に比例し、即ちサンプルまたはサンプル成分の硫黄量に比例する。二つ以上のサンプル成分が硫黄を含有する場合、硫黄を含有する各成分の硫黄濃度の合計がサンプル中の全硫黄分になる。サンプルが成分として二酸化硫黄を含有する場合、電気信号はサンプルの硫黄濃度に正比例する。元のサンプルが化学結合硫黄か、あるいは二酸化硫黄と化学結合硫黄の組み合わせを含有する場合、酸化処理サブシステムを含むサブシステムで化学結合硫黄を二酸化硫黄に転換する。サンプルが化学結合窒素を含有する場合、オゾン誘導化学発光サブシステムによってＮＯを決定できる。実施態様にもよるが、ＮＯ化学発光は紫外線検出サブシステムの上流側で行う。
【００１２】
また、本発明は、サンプルを各成分に分離する条件でサンプルをサンプル供給搬送システムから分離ユニットに供給するステップを有するクロマトグラフィー分析方法を提供するものでもある。分離後、サンプル成分を検出装置に送る。場合にもよるが、燃焼装置で最初に各成分を酸化処理してもよい。検出装置では、光反応チャンバーの光源（実施態様にもよるが、光源またはランプ）からの光に各成分を接触させる。ここで蛍光活性種の一部が励起し、励起種の一部が蛍光発光する。蛍光の一部がチャンバーを出、検出素子入口から検出素子に入り、電気信号が出力する。この電気信号が蛍光活性種の濃度に転換し、即ちサンプルの硫黄や窒素などの対象となる対応する原子成分の濃度に転換する。活性種が二酸化硫黄の場合、分析素子が、各成分の硫黄濃度およびサンプルの全硫黄濃度を出力する。光源としては、金属蒸気ランプ、ガスランプまたは他のブロードスペクトル光源などのフィルター処理式ブロードスペクトル光源、フィルター処理式または非フィルター処理式エキシマー光源、あるいはフィルター処理式または非フィルター処理式レーザー光源を使用できる。
【００１３】
添付図面を参照して以下の詳細な説明を読めば、本発明をよりよく理解できるはずである。なお、同じ要素は同じ符号で示す。
【図面の簡単な説明】
【００１４】
【図１Ａ】蛍光検出サブシステムを備えた本発明システムの一実施態様を示す図である。
【図１Ｂ】酸化処理サブシステムおよび蛍光検出サブシステムを備えた本発明システムの別な実施態様を示す図である。
【図１Ｃ】酸化処理装置、化学発光サブシステムおよび蛍光検出サブシステムを備えた本発明システムのさらに別な実施態様を示す図である。
【図２Ａ】本発明の蛍光検出サブシステムの一実施態様を示す図である。
【図２Ｂ】本発明の蛍光検出サブシステムの別な実施態様を示す図である。
【図２Ｃ】本発明の蛍光検出サブシステムのさらに別な実施態様を示す図である。
【図３】本発明の高電圧電源の一実施態様を示す図である。
【図４Ａ】本発明の酸化処理サブシステムの一実施態様を示す図である。
【図４Ｂ】本発明の酸化処理サブシステムの別な実施態様を示す図である。
【図４Ｃ】本発明の酸化処理サブシステムのさらに別な実施態様を示す図である。
【図５】本発明の化学発光検出サブシステムの一実施態様を示す図である。
【図６Ａ】直線状の外側反射電極を備えた本発明のエキシマー光源の一実施態様を示す縦／横断面図である。
【図６Ｂ】直線状の外側反射電極を備えた本発明のエキシマー光源の一実施態様を示す縦／横断面図である。
【図６Ｃ】光源からの光射出量を増加させるようにテーパー加工した外側反射電極を備えた本発明のエキシマー光源の別な実施態様を示す縦／横断面図である。
【図６Ｄ】光源からの光射出量を増加させるようにテーパー加工した外側反射電極を備えた本発明のエキシマー光源の別な実施態様を示す縦／横断面図である。
【図６Ｅ】光源からの光射出量を増加させるようにテーパー加工した外側反射電極を備えた本発明のエキシマー光源のさらに別な実施態様を示す縦横の横断面図である。
【図６Ｆ】光源からの光射出量を増加させるようにテーパー加工した外側反射電極を備えた本発明のエキシマー光源のさらに別な実施態様を示す縦横の横断面図である。
【図７Ａ】本発明のエキシマーランプまたはエキシマー光源の２００ｎｍ〜９００ｎｍにおける出力スペクトルを示す図である。
【図７Ｂ】本発明のエキシマーランプまたはエキシマー光源の２００ｎｍ〜２５０ｎｍにおける展開出力スペクトルを示す図である
【発明の詳細な説明】
【００１５】
本発明者の知見によれば、サンプルまたはサンプル成分の分析装置または分析システムは、他の潜在的な緩衝化合物を励起することなく、蛍光活性アナライト（被分析体）を選択的に分析できる波長に中心設定したきわめて狭い波長域（場合によって、近単色域）の光を発光するように特に設定されたエキシマー光源を利用して構成できる。例えば、ＳＯ２蛍光検出に緩衝する種であるＮＯの励起を最小限に抑制した状態でＳＯ２を選択的に励起する光源を利用した、硫黄分または全硫黄分の分析装置である。また本発明者の知見によれば、分析システムは、機器安定性および機器信頼性を改善し、光源が設計されたアナライト（ａｎａｌｙｔｅ）の検出限界を下げるソフトウェア検出信号調整サブシステムを備えることができる。本発明者のさらに別な知見によれば、このソフトウェア検出信号調整サブシステムは、エキシマー光源を備えた任意の光源と併用できる。例えば、アナライトが二酸化硫黄の場合、光源としては中心が厳密に２２２ｎｍ付近に設定された光を発光しなければならない。エキシマー光源の場合、約２２２ｎｍに中心が設定された光を発光できるガス混合体を利用する。他の蛍光活性種を分析対象とする場合、エキシマー光源は、上記種の吸収スペクトル内の波長に中心設定された光を発光できるガス混合体を利用する。
【００１６】
蛍光検出および化学発光の上記以外の細部については、以下の特許文献（いずれもアメリカ特許又はアメリカ特許出願）が参考になる。ＵＳＰ４９０４６０６、４９１４０３７、４９１６０７７、４９５０４５６，５９１６５２３、６０７５６０９、６１４３２４５、６４５８３２８、６６３６３１４、７０１８８４５、７２４４３９５、７２９１２０３、１０／９７０６８６、１０／９７０３５３、１１／９４９６１０、１１／８３４４９５、１１／８３４５０９および１１／８３４５１４。いずれも本開示に援用するものである。これら文献のうちいくつかは、酸化処理サブシステム設計、蛍光サブシステム設計、化学発光サブシステム設計における改善改良、そして一般的には、サンプルおよびサンプル成分の硫黄分および／または窒素分の蛍光測定および化学発光測定領域における改善改良に関する。
【００１７】
本発明の一部の実施態様の場合広く括ると、蛍光分光を利用したサンプルまたはサンプル成分の分析システムまたは分析装置に関する。この装置は、直接供給搬送サブシステムまたはサンプル分離サブシステムが使用できるサンプル供給搬送サブシステムを備える。また場合に応じて、分析システムはサンプルの酸化性成分を対応する酸化物に酸化する酸化処理サブシステムを組み込むがことができる。なお、適正な周波数または周波数帯の光に照射される場合、酸化物の一つかそれ以上は蛍光活性種であればよい。また、分析システムは、励起光への照射後サンプル、サンプル成分または酸化物の励起蛍光活性種が発光する蛍光を検出する検出サブシステムを備え、また分析装置サブシステムを有する。一般に、この分析装置サブシステムは（コンピュータを使用できる）デジタル処理ユニット、メモリー、表示素子、印刷素子、大容量記憶素子、通信ハードウェア／ソフトウェア、他の公知周辺素子、および検出素子信号を受信分析するソフトウェアを備える。サンプル供給搬送サブシステムは直接注入装置、サンプルループ装置、ガスクロマトグラフィーユニット、液体（低速、中速、高速）クロマトグラフィーユニット、電気泳動ユニットまたはその他のサンプル分離ユニットを備える。検出サブシステムは光源装置、検出チャンバー、検出素子、およびソフトウェア検出素子信号調整サブシステムを備える。光源装置は供給電圧、供給周波数および／または供給電流を厳密に制御し、かつ金属蒸気ランプ、ガスランプ、エキシマーランプやレーザーなどの光源に給電する高周波電源を備える。
【００１８】
本発明の他の実施態様の場合広く括ると、サンプルを検出装置に供給するステップを備えた、クロマトグラフィー分析を実行する方法に関する。実施態様にもよるが、サンプルは直接供給搬送装置を利用して、検出装置にサンプルを直接供給する。別な実施態様の場合、最初に、即ちサンプル成分を検出装置に供給する前に、サンプルの成分への所定の分離を行う条件で分離ユニットにおいてサンプルを成分に分離する。あるいは、サンプルまたはサンプル成分を酸化処理装置で酸化処理してサンプルまたはサンプル成分の全酸化性種を対応する酸化物に転換する。検出装置では、サンプル、サンプル成分、酸化されたサンプルまたは酸化されたサンプル成分を光反応チャンバーにおいて光源からの光に接触させる。蛍光活性種の一部が励起し、励起種の一部が蛍光発光する。蛍光の一部が検出装置入口から検出装置に入り、出力電気信号を出力する。電気信号は分析装置においてサンプル、サンプル成分、酸化されたサンプルまたは酸化されたサンプル成分中の活性種の濃度に転換する。次に、この情報を利用してサンプル全体および／または各サンプル成分中の原子成分の濃度を決定できる。
【００１９】
本発明システムは、特に紫外線蛍光クロマトグラフィー対応でき、この場合には紫外線蛍光検出サブシステムを備える。この検出サブシステムは高周波電源をもつエキシマー光源、検出チャンバー、検出素子、およびソフトウェア検出信号調整サブシステムを備える。このエキシマー光源の場合、緩衝種の励起を最小限に抑えた状態で、目的のアナライトを効率よく励起できる波長に中心設定された電磁スペクトルの紫外線スペクトル内にあるきわめて狭い周波数または波長帯の光を発光する。例えば、クリプトン／塩化物エキシマー光源の場合、ＮＯ吸収スペクトルの吸収帯域間のギャップに中心設定された２２２ｎｍに中心設定された光を発光する。フィルター処理後、クリプトン／塩化物エキシマー光源が発光した光は、ＮＯの励起を最小限に抑えた状態で、ＳＯ２を選択的に励起するために利用できる。しかし、この分析システムおよび方法はまた、金属蒸気ランプ、ガスランプおよびレーザーと共に実施できる。
【００２０】
本発明の一実施態様の場合、光源はエキシマー光源である。エキシマー光源の場合、一般的には、内部貫通孔および放電ギャップを備えた形状が細長いトロイダル形状（ｔｏｒｏｉｄａｌ  ｓｈａｐｅｄ）の誘電体バリア放電ガスエンクロージャーである。このガスエンクロージャーの場合、ガスやガス混合体を充填でき、エンクロージャー内のガスから形成された原子種またはエキシマーのいずれかが発光する。エキシマーは多重原子錯体または分子錯体であり、原子または分子の少なくとも一つが励起状態にある。この場合、錯体が発光する。エキシマーにもよるが、発光光の一部が特定の波長または周波数に狭い範囲で中心設定される。
【００２１】
また、エキシマー光源の場合、第１電極を内部貫通孔内に設けるか、あるいは内部貫通孔の内面に設ける。また、エキシマー光源の場合、光射出口は、光がエキシマー光源から射出するエンクロージャーの端部からなる。また、このエキシマー光源の場合、外部反射電極をエンクロージャーの外面に設ける。この外部反射電極のテーパー加工はあってもよく、あるいはなくてもよい。この外部反射電極の場合、射出口を射出する光を集光かつ強くできる。内外の電極は、高周波高電圧電源をもつエキシマー光源に電気的に接続する。
【００２２】
電源装置は、誘電体バリアが制御された仕方で絶縁破壊する程度の十分な電位を電極間に印加する。この制御された絶縁破壊の結果、ギャップ間に微小な放電が生じる。これら微小な放電がガスまたはガス混合体を励起し、励起種が発生し、発光種の純度が高いため、きわめて狭い周波数帯の光が発光する。
【００２３】
二酸化硫黄検出を対象とした実施態様の場合、エンクロージャー内のガスはクリプトンと塩素との混合体からなるため、ギャップ間の微小な放電により励起すると、クリプトン／塩化物エキシマーまたは励起錯体が形成する。ガス混合体の組成およびエンクロージャー内のガス混合体の圧力を制御することによって、クリプトン／塩化物（ＫｒＣｌ）エキシマー光源が同調し、所定の出力強度での二酸化硫黄蛍光検出に理想的な２２２ｎｍに正確に中心設定された光が発光する。ＫｒＣｌエキシマー光源は２２２ｎｍに中心設定された光を主に発光するが、一定の条件下では、より長い波長の光も発光する。実施態様にもよるが、エキシマー光は励起光フィルターを通過するため、発光された光のこれらより長い波長を減少または排除することができる。
【００２４】
本発明システムすべてを通じて、検出サブシステムには場合に応じて、光フィルターまたは光学フィルターを蛍光反応チャンバーと光源との間に、そして蛍光反応チャンバーと検出素子との間に設ける。また本発明システムすべてを通じて、蛍光反応チャンバーにはサンプル入口とサンプル出口とを設ける。また蛍光反応チャンバーにも、光入射口と蛍光射出口を設ける。なお、蛍光射出口は入射口に対して所定の角度で設け、そしてこの角度は励起光が光射出口に入射しないように設定する。実施態様にもよるが、約６０°〜約１２０°に設定する。また別な実施態様では、約７０°〜約１１０℃に設定する。あるいは約８０°〜約１００°に、より狭く約８５°〜約９５°に、そして約９０°に設定する。蛍光反応チャンバーについては、ＵＳＰ６０７５６０９、ＵＳＰ６６３６３１４に記載されているようにミラー化してもよい。いずれも本開示に援用するものである。
【００２５】
酸化処理サブシステムを備えたシステムの場合、サンプルまたはサンプル成分は燃焼チャンバーに送る。この燃焼チャンバーはサンプル入口、酸化剤入口および酸化されたサンプルの出口を備える。サンプルおよび酸化剤は、同時にあるいは個別に燃焼チャンバーに導入できる。実施態様にもよるが、酸化剤は燃焼チャンバーに順次に送ってもよい。あるいは、サンプルおよび酸化剤とともに不活性ガスを燃焼チャンバーに導入してもよい。
【００２６】
燃焼チャンバー内でサンプルの酸化性成分が対応する酸化物および水蒸気に転換したなら、酸化剤／サンプル混合物の点火温度より高い温度か、あるいは酸化性サンプル成分のすべてかあるいはほぼすべてが対応する酸化物に酸化するのに十分高い温度に燃焼チャンバーを維持する。この高温は一般的には約３００℃以上に設定する。実施態様にもよるが、約６００℃以上、または約９００℃以上に設定してもよく、あるいは約３００℃〜約２，０００℃の範囲に、約６００℃〜約１，５００℃の範囲に、あるいは約８００℃〜約１，３００℃の範囲に設定すればよい。本発明の燃焼装置の動作圧力は周囲圧力でもよく、数十ｍｍ水銀の減圧でもよく、あるいは１，０００ｐｓｉａ以上の周囲圧力より高い圧力でもよい。
【００２７】
燃焼域への入口は、酸化剤内にサンプルを噴霧できる噴霧器を備え、そして場合に応じて不活性ガスを利用して酸化効率を上げてもよい。
【００２８】
酸化に関して使用する“ほぼすべて”は、可燃性材料の酸化性成分の少なくとも９０％以上が対応する酸化物に転換している状態を示す。あるいは、可燃性材料の酸化性成分の少なくとも９５％以上が対応する酸化物に転換している状態を示す。あるいは、可燃性材料の酸化性成分の少なくとも９８％以上が対応する酸化物に転換している状態を示す。あるいは、可燃性材料の酸化性成分の少なくとも９９％以上が対応する酸化物に転換している状態を示す。
【発明を実施するための形態】
【００２９】
限定するわけではないが、好適な検出システムは光強度を比例的電気信号に転換する任意の素子を備える。素子を例示すればＰＭＴ（光電子増倍管）、ＣＣＤ（電荷結合素子）、ＩＣＣＤ（増感電荷結合素子）などである。
【００３０】
限定する意図はないが、好適なサンプル供給システムとしては、自動サンプラー、直接注入用セプタム、連続サンプリング用サンプリングループ、およびＧＣ、ＬＣ、ＭＰＬＣ、ＨＰＬＣ、ＬＰＬＣなどの分析分離システムを備えた任意のサンプル供給システム、あるいはサンプルを分析装置燃焼チャンバーに供給するために現在利用されているか将来利用される可能性のあるその他のサンプル供給システムであり、これらを複数組み合わせて利用してもよい。
【００３１】
限定するわけではないが、好適な光源としては金属蒸気光源、ガス光源、エキシマー光源、レーザー光源があり、紫外光を発生できるその他の光源も利用できる。限定する意図はないが、金属蒸気光源又はランプを例示すれば、亜鉛ランプ、カドミウムランプ、水銀ランプ、ハロゲン化水銀ランプがあり、その他の金属ランプも光源として利用されている。限定する意図はないが、ガスランプを例示すると、キセノンランプ、重水素ランプがあり、紫外光を発光する他のガスランプである。
【００３２】
本発明に使用するのに好適なエキシマー光源は表１に示す通りである。
表１
近／遠紫外線エキシマーガス発光種および発光周波数
2012508890.tif 000003
ＳＨＧ*は紫外線ガス‐イオン二次調波発光である。
ソフトウェア検出素子信号調整
背景
【００３３】
本発明においては必須ではないが、例えば使用前に、本発明のシステムまたは装置は検定処理して、検定曲線を作成しておく。即ち、ある元素の目標蛍光活性種、例えば硫黄についてはＳＯ２、そして窒素についてはＮＯの既知ではあるが異なる濃度をもつ幾つかのサンプルを分析し、測定反応をプロットして検定曲線を作成する。未知サンプルの反応を次に測定し、検定曲線と比較する。この比較から未知サンプルの目標種の濃度がわかる。なお、この方法は、光源が発光する光の強度や光源の動きなどの装置条件が一定状態にあることを前提としている。
【００３４】
光源が老化すると、光源出力が経時的に低下するなどの変化の原因になり、また出力ノイズレベルが上がるなどの変化の原因になることが多い。光出力および出力ノイズレベルがいずれも変化すると、測定結果、再現性および反復性に直ちに影響が出る。本発明の実施態様にもよるが、本発明システムは光源の動作条件を変えることなく、光出力およびノイズレベルの変化を補償する機能をもつ。この種の機能は、光源の最良の性能および寿命について最適化された電源を備え、ランプ強度の経時的低下などのランプ出力状態または強度状態の経時的な補正を可能にした状態で、ランプ動作を理想的な状態におく光源に対して良好に対応できる。
【００３５】
制御機能の一つは、光源性能の経時的な変化に関する情報に基づいてソフトウェアによって検出素子信号を調整することである。このようにソフトウェアによって信号を調整すると、検定間隔を有意味に広げることができ、Ｚｎランプなどのより低い品質の光源やエキシマーランプなどのより高い品質の光源を含むあらゆるタイプの光源に良好に対応できる。さらに、光源の出力についてデジタル状態調整すると、光源性能についてより詳しく知ることができ、またこのような状態に基づき検出素子信号のソフトウェア補正を実行できる。また、このような制御システムの場合、ランプの寿命がいつ切れるか、あるいはランプをいつ交換するかを予測あるいは推測するさいに重要な情報、システムの作業中止時間の短縮に重要な情報、即ち保守計画の改善に重要な情報を取得できる。
【００３６】
光源出力の信号フィルター処理を行うと、光源の出力ノイズレベルを低くあるいは最小限に抑えることができ、装置測定値の反復性が向上する。このような信号フィルター処理および信号調整を行うと、装置またはシステムの作業中止時間を短縮できるだけでなく、装置の性能が向上する。
応用
【００３７】
本発明のソフトウェア検出素子信号調整または状態調整サブシステムはフォトダイオードなどの、光源の光出力をモニタリングできる光検出素子／センサー素子を備える。実施態様にもよるが、光検出素子／センサー素子は、蛍光チャンバーの後ろに設ける。なお、光の光出力を測定できる限りは、光検出素子／センサー素子の配設位置は任意でよい。この光検出素子／センサー素子は光源の光出力を検出、モニタリングし、強度値、ノイズ値などの現在時点での光源出力特性を出力するともに、光源出力特性に関する連続情報を出力する。光検出素子／センサー素子が検出した現在時点での光源強度値やその他の特性は、デジタル信号に転換する。光出力強度値は、記憶されている光源出力強度値と比較する。最後の検定時に取得された他の特性の値とも比較できる。現在時点の光源強度値と記憶されている光源強度値との差を未知サンプルの蛍光検出素子信号から減算するか、これに加算して、ランプ強度のずれまたは変化に応じて信号を調整する。この補正によって、最後の検定時の光源出力と各サンプル分析時の実際の光源出力との差を補償できる。
【００３８】
さらに、光検出素子／センサー素子からの信号はデジタル処理し、蛍光検出素子信号のデジタルフィルター処理を行うと、光源ノイズを低くあるいは最小限に抑制でき、検定処理間の未知サンプルの測定値の反復性が向上する。
システムの各構成
光検出素子／センサー素子
【００３９】
ソフトウェアフィードバック装置は、光源出力レベルを検出するために使用される安定なフォトダイオードなどの安定な光検出素子／センサー素子を備え、光強度を比例電気信号に転換する。光検出素子／センサー素子は、ソフトウェアフィードバックおよび検出素子信号処理の連続信号を出力する。
Ａ／Ｄ転換素子
【００４０】
また、ソフトウェアフィードバック装置は、解像度の高いアナログ／デジタル転換素子（例えば、シグマデルタＡ／Ｄ転換素子）を備える。この転換素子では、信号デジタル処理を介して光センサー素子信号をソフトウェアフィードバック制御デジタル信号に転換する。
デジタル信号状態調整
【００４１】
また、ソフトウェアフィードバック装置はマイクロプロセッサー素子ユニットを備える。このユニットでは、検定時に取得された光源出力値を記憶する。記憶された光源出力値は、現在時点での光源出力値と比較し、この比較に基づいて、このユニットが光増幅素子などの検出素子からの信号を調整し、光源の老化による未知サンプルの測定値への影響を低くあるいは最小限に抑制する。このユニットは、また、信号のフィルター処理を行なう。また必要に応じて、他の必要な機能を発揮できる。
電流／電圧を厳格に制御した高電圧電源
【００４２】
本発明では、ＤＣ電源を使用してエキシマー光源に給電する。ＤＣ電源を使用すると、ブリッジ制御素子およびＭＯＳＦＥＴスイッチユニットへの給電を確実に制御できる。制御素子およびＭＯＳＦＥＴスイッチユニットへの入力電圧については、約８Ｖ〜約３０Ｖの間で厳格に制御する。ブリッジ制御素子をＭＯＳＦＥＴスイッチユニットを駆動ゲートに使用すると、エキシマー光源電流および電圧を測定でき、過電流および過電圧から確実に保護できるとともに、エキシマー光源の明るさ（輝度）の厳格な制御を担保できる。本発明の電源はランプ動作に対して最善の状態、即ち最適化かつ制御された動作電流、最適化かつ制御された動作電圧、最適化かつ制御された動作周波数などを担保するように特化設計してある。
【００４３】
ゲート駆動出力は、ＭＯＳＦＥＴスイッチユニットのゲートに直接接続する。これらゲートの場合、ＭＯＳＦＥＴスイッチユニットの上流側スイッチのうち一つがオンし、同時に他のハーフブリッジの下流側スイッチがオンすると、電流が変圧器のみに流れるように設計してある。一つのハーフブリッジの上流側スイッチのオン時間がＭＯＳＦＥＴスイッチユニットの他のハーフブリッジの下流側スイッチのオン時間に正確に重なった場合に、最大出力が得られる。
【００４４】
ランプ輝度を設定するには、２つの基本的な調光方法がある。アナログ調光とバースト調光の２つである。アナログ調光方法では、ＤＣ電圧プログラムに従ってランプ電流を調整する。この場合には、ランプ電流を電流調整素子によって調整する。即ち、ランプ電流を直接制御する。バースト調光方法では、負荷サイクルが一定の低周波数でランプをオンオフする。バースト調光は、内部的に（発生バーストパルスのＤＣ電圧プログラム負荷サイクル）あるいは外部的に（外部ＰＷＭ信号を直接使用してバースト調光を行う）行うことができる。
【００４５】
調光回路はブリッジ制御素子に組み込む。各調光方法はそれぞれ独立して適用できる。アナログ調光およびバースト調光を備えたランプに高周波電力を入力できるブリッジ制御素子を使用できるが、本発明者はＴｅｘａｓ  Ｉｎｓｔｒｕｍｅｎｔｓ社製のＴＰＳ６８０００高効率位相シフト式フルブリッジＣＣＦＬコントローラーを使用した。なお、参考情報としては、ＴＩスペックＳＬＶＳ５２４Ａ、２００５年１０月、２００６年２月改訂版がある。
【００４６】
ブリッジ制御素子は高周波を出力する発振素子成分を備える。内部動作周波数は、周波数プログラム式入力に接続した抵抗素子によって設定する。過電流保護入力を使用して電流センサー素子から誘導される電圧をモニタリングする。ランプ電流はシャント抵抗素子の電圧から誘導する。測定された電圧を使用してランプ電流を調整する。ランプ電圧はキャパシタンス分周素子で分周する。測定された電圧を使用してランプ電圧を調整するとともに、過電圧保護を行う。ランプへのエネルギー入力の高周波によってランプ出力が増大する。あるいは、印加電圧を上げてランプ出力を高めてもよいが、高い電圧はランプエンベロープの絶縁破壊限界によって制限を受ける。
システム
【００４７】
図１Ａについて説明する。全体を参照符号１００で示す本発明システムの一実施態様は、図示のように、サンプル供給または導入サブシステム１０２を備える。また、本システム１００は、第１導管１０６によってサンプル供給または導入サブシステム１０２に接続した蛍光検出サブシステム１０４を備える。さらに本システム１００は、第１信号導管１１０によって蛍光サブシステム１０４に接続した分析素子サブシステム１０８を備える。
【００４８】
システム１００の別な実施態様を図１Ｂに示す。本システム１００は、さらにサンプル供給または導入サブシステム１０２間に配設された酸化処理サブシステム１１２を備える。酸化処理サブシステム１１２は、第２導管１１４によってサンプル供給または導入サブシステム１０２に、そして第３導管１１６によって蛍光検出サブシステム１０４に接続する。
【００４９】
システム１００のさらに別な実施態様を図１Ｃに示す。本システム１００場合、さらに酸化処理サブシステム１１２と蛍光検出サブシステム１０４との間に化学発光検出サブシステム１１８を配設している。化学発光検出サブシステム１１８は、第４導管１２０によって酸化処理サブシステム１１２に、そして第５導管１２２によって蛍光サブシステム１０４に接続する。化学発光検出サブシステム１１８も第２信号導管１２４によって分析素子サブシステム１０８に接続する。場合にもよるが、サブシステム１１８は、酸化されたサンプルまたはサンプル成分にオゾンを導入してＮＯを少なくするか排除し、これを非干渉酸化窒素であるＮＯ２に転換するオゾン発生素子を単に備えたものでもよい。この構成ではまた、サブシステム１１８は、オゾンが酸化されたサンプルまたはサンプル成分と混合するチャンバーを備えていてもよい。
【００５０】
各サブシステムについて以下詳細に説明する。
【００５１】
本発明に使用するサンプル供給または導入システム１０２としては、自動サンプラー素子、直接注入用セプタム、連続サンプリング用サンプリングループ、インライン式注入システム、ＧＣ、ＬＣ、ＭＰＬＣ、ＨＰＬＣ、ＬＰＬＣなどの分析分離システム、電気泳動を備えた任意のサンプル供給システムを使用できる。あるいは、本発明の分析装置にサンプルを供給または導入するために現在使用されているか、将来使用されるだろうその他の任意のサンプル供給または導入システムも使用可能である。図１Ａのシステムの場合、酸化処理などの前処理を行わずに、サンプルを蛍光検出素子に直接導入する。このようなシステムは、一般的には、ＳＯ２を含有していることがわかっているか予想されるサンプルを試験するために好適であるが、図１Ｂおよび図１Ｃのシステムの場合は、サンプルを酸化処理してＳＯ２を発生し、次に分析するシステムである。もちろん、図１Ｂおよび図１ＣのシステムはＳＯ２を含有することがわかっているか予想されるサンプルだけでなく、酸化されていない硫黄や化学結合硫黄を含有するサンプルにも使用できる。
【００５２】
上記システム実施態様すべてにおいて、分析サブシステムは一般的にはデジタル処理システムであり、このシステムはデジタル処理ユニット、メモリー（キャッシュ、ＲＡＭ、ＲＯＭなど）、大容量記憶装置、周辺素子などを備える。分析素子はＰＭＴなどの検出サブシステムに対応する検出素子からの出力を入力とし、元のサンプル中の分析対象である元素の濃度に信号を転換する。データは表示またはプリントアウトなどされる。
蛍光検出サブシステム
【００５３】
次に図２Ａについて説明する。全体を参照符号２００で示す本発明の紫外線蛍光検出サブシステムの一実施態様は、図示のように、光源装置２０２、蛍光反応装置２４０、および検出素子２８０を備える。
【００５４】
光源装置２０２はエキシマー光源２０４および電源２０６を備え、そして場合によっては励起光フィルター２０８を備える。電源２０６は、電線用導管２１０ａおよび２１０ｂによってエキシマー光源２０４に接続する。フィルター２０８が存在する場合には、励起光ビーム２１２がこれに入射し、励起光ビーム２１２をフィルター処理し、狭い波長（または周波数）帯の光、即ち目的の波長周囲に厳密に分布する波長帯の光をもつフィルター処理励起光ビーム２１４を出力する。実施態様にもよるが、目的の波長は、ＳＯ２吸収に最適な波長である約２２０ｎｍである。
【００５５】
蛍光反応装置２４０は、蛍光反応チャンバー２４２を備える。このチャンバー２４２のサンプル入口２４４は、サンプル入口導管２４６に接続し、そしてサンプル出口２４８は出口導管２５０に接続する。また、チャンバー２４２の励起光口２５２は励起光ビーム２１２またはフィルター処理励起光ビーム２１４と光学的に連絡し、そして検出素子口２５４は検出素子２８０と光学的に連絡する。検出素子口２５４は励起口２５２に対して直角に設定するが、検出素子口２５４に入射する励起光の量を少なくするのに十分な角度である限り、任意に設定できる。ＵＳＰ６，０７５，６０９およびＵＳＰ６，６３６，３１４に記載されているように、チャンバー内壁２５６をミラー化すると、検出素子口２５４および検出素子２８０に入射する蛍光光量を増すことができる。なお、これら公報については本開示に援用するものである。
【００５６】
検出素子２８０は信号導管２８２によって、前述した分析素子サブシステム１０８に接続する。
【００５７】
次に図２Ｂについて説明する。全体を参照符号２００で示す本発明の紫外線蛍光検出サブシステムの一実施態様は、図示のように、光源装置２０２、蛍光反応装置２４０および検出素子２８０を備える。
【００５８】
光源２０２はエキシマー光源２０４および電源２０６を備え、そして場合に応じて励起光フィルター２０８を備える。電源２０６は、電線用導管２１０ａおよび２１０ｂによってエキシマー光源２０４に接続する。フィルター２０８が存在する場合には、励起光ビーム２１２がこれに入射し、励起光ビーム２１２をフィルター処理し、狭い波長（または周波数）帯の光、即ち目的の波長周囲に厳密に分布する波長域の光をもつフィルター処理励起光ビーム２１４を出力する。実施態様にもよるが、目的の波長は、ＳＯ２吸収に最適な波長である約２２０ｎｍである。
【００５９】
蛍光反応装置２４０は、蛍光反応チャンバー２４２を備える。このチャンバー２４２のサンプル入口２４４は、サンプル入口導管２４６に接続し、そしてサンプル出口２４８は出口導管２５０に接続する。また、チャンバー２４２の励起光口２５２は励起光ビーム２１２またはフィルター処理励起光ビーム２１４と光学的に連絡し、そして検出素子口２５４は検出素子２８０と光学的に連絡する。検出素子口２５４は励起口２５２に対して直角に設定するが、検出素子口２５４に入射する励起光の量を少なくするのに十分な角度である限り、任意に設定できる。ＵＳＰ６，０７５，６０９およびＵＳＰ６，６３６，３１４に記載されているように、チャンバー内壁２５６をミラー化すると、検出素子口２５４および検出素子２８０に入射する蛍光光量を増すことができる。なお、これら公報については本開示に援用するものである。また、蛍光反応チャンバー２４２は場合に応じて設けられる光強度検出素子／センサー素子２５８を備え、これを信号導管２６０によって分析素子１０８に接続すると、上記のソフトウェアフィードバック制御に利用できる。
【００６０】
検出素子２８０は信号導管２８２によって、前述した分析素子サブシステム１０８に接続する。
【００６１】
次に図２Ｃについて説明する。全体を参照符号２００で示す本発明の紫外線検出サブシステムの別実施態様は、図示のように、光源装置２０２、蛍光反応装置２４０および検出素子２８０を備える。
【００６２】
光源２０２はエキシマー光源２０４、電源２０６および励起光フィルター２０８を備える。電源２０６は、電線用導管２１０ａおよび２１０ｂによってエキシマー光源２０４に接続する。フィルター２０８は、励起光ビーム２１２がこれに入射し、励起光ビーム２１２をフィルター処理し、狭い波長（または周波数）帯の光、即ち目的の波長周囲に狭い範囲で分布する波長帯の光をもつフィルター処理励起光ビーム２１４を出力する。実施態様にもよるが、目的の波長は、ＳＯ２吸収に最適な波長である約２２０ｎｍである。フィルター処理励起光ビーム２１４は、スプレッダー素子またはコリメーター素子２１６を通過して拡散ビーム２１８を形成する。
【００６３】
蛍光反応装置２４０は蛍光反応チャンバー２４２を備える。このチャンバー２４２のサンプル入口２４４は、サンプル入口導管２４６に接続し、そしてサンプル出口２４８は出口導管２５０に接続する。また、チャンバー２４２の励起光口２５２は拡散ビーム２１８と光学的に連絡し、そして検出素子口２５４は検出素子２８０と光学的に連絡する。検出素子口２５４は励起口２５２に対して直角に設定するが、検出素子口２５４に入射する励起光の量を少なくするのに十分な角度である限り、任意に設定できる。ＵＳＰ６，０７５，６０９およびＵＳＰ６，６３６，３１４に記載されているように、チャンバー内壁２５６をミラー化すると、検出素子口２５４および検出素子２８０に入射する蛍光光量を増すことができる。なお、これら公報については本開示に援用するものである。また、チャンバー２４２には場合に応じて光強度検出素子／センサー素子２５８を設ける。この素子２５８は信号導管２６０によって分析素子１０８に接続し、上記ソフトウェアフィードバック制御に使用できるようにする。また、蛍光反応チャンバー２４２には蛍光フィルター２６２を配設できる。
【００６４】
検出素子２８０は信号導管２８２によって、前述の分析素子サブシステム１０８に接続する。
【００６５】
窒素および硫黄の両者を検出するシステムの場合、酸化処理されたサンプルを２つの部分に分割できる。即ち、硫黄検出システムに行く部分と窒素検出システムに行く部分である。蛍光サブシステムと化学発光サブシステムをもつシステムの場合、化学発光サブシステムはＮＯとして窒素を測定し、ＳＯ２として硫黄を測定する。
高電圧電源
【００６６】
次に図３について説明する。全体を参照符号３００で示す本発明のフィードバック／閉回路制御サブシステムの一実施態様は、ＤＣ電源３０２を備える。このＤＣ電源３０２はエキシマー光源２０４などの光源の主電源として使用する。ＤＣ電源３０２からブリッジ制御素子３０４およびＭＯＳＦＥＴスイッチユニット３０６に給電する。ブリッジ制御素子３０４は１３個の入力／出力チャネルａ〜ｍを備える。スイッチユニット３０６はスイッチ３０８ａ＆ｂおよび３１０ａ＆ｂを備える。また、スイッチユニット３０６は７個の入力／出力チャネルｔ〜ｚを備える。ＤＣ電源３０２は給電線３１２＋によって入力チャネルａのブリッジ制御素子３０４に、そして給電線３１２−によって入力チャネルｔのＭＯＳＦＥＴスイッチユニット３０６に制御状態の良好な初期電圧を供給する。制御素子３０４およびＭＯＳＦＥＴスイッチユニット３０６への入力電圧については、約８Ｖ〜約３０Ｖに厳格に調整する。ブリッジ制御素子３０４は、ＭＯＳＦＥＴスイッチユニット３０６のゲート３１６ａ〜ｄを駆動するために使用されるゲート駆動出力３１４ａ〜ｄを備える。これらゲート３１４ａ〜ｄおよび３１６ａ〜ｄが、光源電流および電圧を測定し、過電流保護および過電圧保護を担保するとともに光源輝度を厳格に制御する。
【００６７】
ブリッジ制御素子チャネルａ〜ｍの定義は次の通りである。
表Ｉ
ブリッジ制御素子チャネル
2012508890.tif 000004
【００６８】
スイッチユニットチャネルｔ〜ｚの定義は次の通りである。
表ＩＩ
スイッチユニットチャネル
2012508890.tif 000005
【００６９】
ゲート駆動出力３１４ａ〜ｄは、ＭＯＳＦＥＴスイッチユニット３０６のゲート３１６ａ〜ｄに直接接続する。一方のハーフブリッジ３２０ａにおけるスイッチ３０８ａをオンすると同時に、他方のハーフブリッジ３２０ｂにおけるスイッチ３１０ａをオンすると、ゲート３１４ａ〜ｄおよびゲート３１６ａ〜ｄにより電流が変圧器３１８にのみ流れる。一方のハーフブリッジ３２０ａ、３２０ｂにおけるスイッチ３０８ａ、３０８ｂのオン時間が他方のハーフブリッジ３２０ｂ、３２０ａにおけるスイッチ３１０ａ、３１０ｂのオン時間と正確に重なった場合に、出力を最大化できる。
【００７０】
光源２０４の輝度を設定する場合、本発明の装置および方法は、２つの基本的調光方法を利用する。第１調光方法はアナログ調光である。この場合、ＤＣ電圧が電流調整素子によって調整される光源２０４電流をプログラム処理するため、光源２０４電流を直接制御できる。第２調光方法はバースト調光である。この場合、負荷サイクルを一定にした状態で、低周波において光源２０４をオンオフする。バースト調光方法は内部方式（即ち、ＤＣ電圧が、発生されたバーストパルスの負荷サイクルをプログラム処理する）か、あるいは外部方式（即ち、外部ＰＷＭ信号を直接使用してバースト調光を行う）のいずれか方式であればよい。調光回路は、ブリッジ制御素子３０４に集積一体化する。これら調光方法は独立して適用できる。
【００７１】
また、高電圧電源３００は、ブリッジ制御素子３０４の周波数プログラム処理入力チャネルｆとして働く内部動作周波数を制御する周波数設定抵抗素子３２２を備える。過電流保護入力を使用して、電流センサー素子３２４から誘導される電圧をモニタリングする。光源電流は、シャント抵抗素子３２６の電圧から誘導される。電流測定装置３２８が、光源電流調整に使用される電流を測定する。光源電圧は、第１キャパシター素子３３２および第２キャパシター素子３３４を備えたキャパシタンス分割素子３３０から誘導される。また、電圧測定装置３３６が、ランプ電圧調整および光源過電圧保護に使用される電圧を測定する。高電圧電源３００は、高電圧出力３３８および３４０を出力する。
酸化処理サブシステム
【００７２】
図４Ａについて説明する。本発明の酸化処理サブシステムまたは燃焼処理サブシステムの一実施態様は、全体を参照符号４００で示す。図示のように、このサブシステムは燃焼炉４０２および酸化剤供給部４０４を備える。
【００７３】
燃焼炉４０２は、サンプル入力導管４０８に接続されたサンプル入口４０６および酸化処理されたサンプルの導管４１２に接続された酸化処理サンプル出口４１０を備える。また、燃焼炉４０２は酸化処理域４１４およびヒーター素子４１６を備える。さらに、燃焼炉４０２の酸化剤入口４１８は、酸化剤導管４２０に接続する。
【００７４】
図４Ｂについて説明する。全体を参照符号４４０で示す本発明の酸化処理サブシステムの一実施態様は、図示のように、燃焼炉４４２および酸化剤供給部４４４を備える。
【００７５】
燃焼炉４４２は、サンプル入力導管４５０に接続されたサンプル入口４４８および酸化剤導管４５４に接続された酸化剤入口４５２を有する噴霧器４４６を備える。また、燃焼炉４４２は酸化処理域５４６およびヒーター素子４５８を備える。また、燃焼炉４４２の酸化処理サンプル出口４６０は、酸化処理サンプル導管４６２に接続する。
【００７６】
図４Ｃについて説明する。全体を参照符号４７０で示す本発明の酸化処理サブシステムの一実施態様は、図示のように、燃焼炉４７２および酸化剤供給部４７４を備える。
【００７７】
燃焼炉４７２は、サンプル入力導管４８０に接続されたサンプル入口４７８および酸化剤導管４８４に接続された酸化剤入口４８２を有する噴霧器４７６を備える。また、燃焼炉４７２は酸化処理域４８６およびヒーター素子４８８を備え、その第２酸化剤入口４９０を第２酸化剤導管４９２に接続する。燃焼炉４７２の酸化処理サンプル出口４９４は、酸化処理サンプル導管４９６に接続する。酸化処理域４８６は、２つの静止ミキサー４９８を備える。これら２つの静止ミキサー４９８および第２酸化剤入口４９０を設けたため、燃焼効率が改善する。
【００７８】
化学発光検出サブシステム
次に図５について説明する。全体を参照符号５００で示す本発明の化学発光サブシステムの一実施態様は、図示のように、オゾン反応チャンバー５０２、オゾン源５０４および検出素子５０６を備える。
【００７９】
オゾン反応チャンバー５０２は、オゾン導管５１０に接続されたオゾン入口５０８を備え、またサンプル導管５１４に接続されたサンプル入口５１２を備える。このオゾン反応チャンバー５０２は、サンプル出口導管５１８に接続されたサンプル出口５１６を備え、検出素子口５２０を備える。このチャンバーの内壁をミラー化すると、検出素子口５２０および検出素子５０４に入射する化学発光光の量を大きくできる。この点については、ＵＳＰ６０７５６０９およびＵＳＰ６６３６３１４に詳しい説明がある。なお、これら公報の開示内容は本開示に援用されている。
【００８０】
オゾン源５０４は、オゾン発生器５２２およびオゾン発生器電源５２４を備える。この電源５２４は、電線用導管５２６によってオゾン発生器５２２に接続する。オゾン発生器５２２のオゾン出口５２８は、オゾン導管５１０に接続し、オゾン発生器５２２の酸素または空気入口５３０は、酸素用または空気用電線用導管５３４によって酸素または空気供給部５３２に接続する。オゾン源５０４から十分な量のオゾンをオゾン反応チャンバーに供給し、ＮＯを化学発光活性種に酸化するため、化学発光サブシステム内において窒素がＳＯ２検出に干渉することが少なくなる。
【００８１】
検出素子５０４については、データ導管５３６によって上記分析素子サブシステムに接続する。
【００８２】
あるいは、オゾンを酸化処理サンプルまたはサンプル成分に添加するだけでもＮＯを除去でき、従ってＳＯ２検出にＮＯが干渉することがなくなる。この点については、ＵＳＰ７２４４３９５に詳しい説明がある。なお、この公報の開示内容は本開示に援用されている。
エキシマー光源
【００８３】
図６Ａおよび図６Ｂについて説明する。全体を参照符号６００で示す本発明のエキシマー光源サブシステムの一実施態様は、図示のように、ハウジング６０２、エキシマー光源装置６２０および光源電源装置６７０を備える。なお、エキシマー光源装置６２０はハウジング６０２によって取り囲まれている。
【００８４】
エキシマー光源装置６２０は、誘電体バリアガスエンクロージャー６２２を備える。このエンクロージャー６２２は、外側誘電体バリア６２４、内側誘電体バリア６２６および端部誘電体バリア６２８を備え、これらがエンクロージャー内部６３０を構成する。エキシマー光源装置６２０の出力光ウインドー６３２は、エンクロージャー６２２の遠位端部６３４およびハウジング６０２の遠位端部６０４に設け、そして近位端部６３６は、ハウジング６０６の近位端部付近に設ける。さらに、エキシマー光源装置６２０は、以下に説明するように内部電極を配設できる中空の内部領域６３８を備える。エンクロージャー内部６３０には、目的の周波数を中心とした狭い周波数域の光を発光するエキシマーガス６４０を充填する。すべてのエキシマーが、他の周波数を中心とした光を発光できることはいうまでもない。なお、この他の光は蛍光チャンバーにおいて不要な背景になることが多く、あるいは蛍光チャンバーに存在するＳＯ２以外の他の種を励起することも多い。このような事態を想定して、光源装置６２０には下記の実施態様で説明するように、フィルターを設けることができる。
【００８５】
電源装置６７０は電源６７２、導電性材料のメッシュからなる内側電極６７４、および固体の導電性材料からなり（即ち、シェル状か中空状管の形を取った）かつ内面６７８をミラー化した外側電極６７６を備える。内側電極６７４は、第１導電性導管６８０によって電源６７２に接続し、そして外側電極６７６は、第２導電性導管６８２によって電源６７２に接続する。第１導電性導管６８０および第２導電性導管６８２は、電源６７２の出力に接続する。電源６７２は、ガスエンクロージャー６２２の内部６３０においてエキシマーガス種６４０を発生できる出力を出す。一般的にいって、この出力は安定な光出力を出すように最適化された高周波波形出力の形を取る。波形は、発振器波形であり、純粋な正弦波形か、正弦波形（例えば正方波形など）の合成波形、あるいは安定なエキシマー光源出力を出力できるその他の連続発振波形であればよい。
【００８６】
次に図６Ｃおよび図６Ｄについて説明する。全体を参照符号６００で示す本発明のエキシマー光源サブシステムの別な実施態様は、図示のように、ハウジング６０２、エキシマー光源装置６２０、および光源電源装置６７０を備える。なお、エキシマー光源装置６２０はハウジングによって取り囲まれている。
【００８７】
エキシマー光源装置６２０は誘電体バリアガスエンクロージャー６２２を備える。このエンクロージャー６２２は、外側誘電体バリア６２４、内側誘電体バリア６２６および端部誘電体バリア６２８を備え、これらがエンクロージャー内部６３０を構成する。エキシマー光源装置６２０の出力光ウインドー６３２は、エンクロージャー６２２の遠位端部６３４およびハウジング６０２の遠位端部６０４に設け、そして近位端部６３６は、ハウジング６０６の近位端部付近に設ける。さらに、エキシマー光源装置６２０は、以下に説明するように内部電極を配設できる中空の内部領域６３８を備える。エキシマー光源装置６２０は、目的の周波数を中心としない光を減らす光フィルター６４２も備える。エンクロージャー内部６３０には、目的の周波数を中心とした狭い周波数域の光を発光するエキシマーガス６４０を充填する。すべてのエキシマーが、他の周波数を中心とした光を発光できることはいうまでもない。なお、この他の光は蛍光チャンバーにおいて不要な背景になることが多く、あるいは蛍光チャンバーに存在するＳＯ２以外の他の種を励起することも多い。このような事態を想定して、光源装置６２０には下記の実施態様で説明するように、フィルターを設けることができる。
【００８８】
電源装置６７０は電源６７２、固体の導電性材料からなる（即ち、シェル状か中空状管の形を取った）内側電極６７４、および固体の導電性材料からなり（即ち、シェル状か中空状管の形を取った）かつ内面６７８をミラー化した外側電極６７６を備える。内側電極６７４は、第１導電性導管６８０によって電源６７２に接続し、そして外側電極６７６は、第２導電性導管６８２によって電源６７２に接続する。第１導電性導管６８０および第２導電性導管６８２は、電源６７２の対向ポールに接続する。電源６７２は、ガスエンクロージャー６２２の内部６３０においてエキシマーガス種６４０を発生できる出力を出す。一般的にいって、この出力は安定な光出力を出すように最適化された高周波波形出力の形を取る。波形は、発振器波形であり、純粋な正弦波形か、正弦波形（例えば正方波形など）の合成波形、あるいは安定なエキシマー光源出力を出力できるその他の連続発振波形であればよい。
【００８９】
次に図６Ｅおよび図６Ｆについて説明する。全体を参照符号６００で示す本発明のエキシマー光源サブシステムのさらに別な実施態様は、図示のように、ハウジング６０２、エキシマー光源装置６２０、および光源電源装置６７０を備える。なお、エキシマー光源装置６２０はハウジングによって取り囲まれている。
【００９０】
エキシマー光源装置６２０は誘電体バリアガスエンクロージャー６２２を備える。このエンクロージャー６２２は、外側誘電体バリア６２４、内側誘電体バリア６２６および端部誘電体バリア６２８を備え、これらがエンクロージャー内部６３０を構成する。エキシマー光源装置６２０の出力光ウィンドー６３２は、エンクロージャー６２２の遠位端部６３４およびハウジング６０２の遠位端部６０４に設け、そして近位端部６３６は、ハウジング６０６の近位端部付近に設ける。さらに、エキシマー光源装置６２０は、以下に説明するように内部電極を配設できる中空の内部領域６３８を備える。エキシマー光源装置６２０は、目的の周波数を中心としない光を減らす光フィルター６４２も備える。エンクロージャー内部６３０には、目的の周波数を中心とした狭い周波数域の光を発光するエキシマーガス６４０を充填する。すべてのエキシマーが、他の周波数を中心とした光を発光できることはいうまでもない。なお、この他の光は蛍光チャンバーにおいて不要な背景になることが多く、あるいは蛍光チャンバーに存在するＳＯ２以外の他の種を励起することも多い。このような事態を想定して、光源装置６２０には下記の実施態様で説明するように、フィルターを設けることができる。
【００９１】
電源装置６７０は電源６７２、固体ロッド状導電性材料からなる内側電極６７４、および固体の導電性材料からなり（即ち、シェル状か中空状管の形を取った）かつ内面６７８をミラー化した外側電極６７６を備える。内側電極６７４は図６Ｅに示すように、ミラー化かつテーパー化してもよく、あるいは図６Ｆに示すようにテーパー化処理しなくてもよい。テーパー化電極６７４のテーパー化方向は、端部６０４に向かう方向に設定する。このテーパーがあるため、外側電極６７６のテーパーと調和して動作するウインドー６３２を励起する光が増加する。内側電極６７４は、第１導電性導管６８０によって電源６７２に接続し、そして外側電極６７６は、第２導電性導管６８２によって電源６７２に接続する。第１導電性導管６８０および第２導電性導管６８２は、電源６７２の対向ポールに接続する。電源６７２は、ガスエンクロージャー６２２の内部６３０においてエキシマーガス種６４０を発生できる出力を出す。一般的にいって、この出力は安定な光出力を出すように最適化された高周波波形出力の形を取る。波形は、発振器波形であり、純粋な正弦波形か、正弦波形（例えば正方波形など）の合成波形、あるいは安定なエキシマー光源出力を出力できるその他の連続発振波形であればよい。
【００９２】
異なる３種類の内側電極６７４について説明してきたが、内側電極の厳密な特性からみて、これら一般的な３種類の電極を合成して使用してもよく、あるいは内面誘電体バリア６２６に隣接する内部領域６３８に配設できる他の電極を使用してもよい。また、外側電極６７６については、外側電極の内面間で紫外線光を反射できるように内面がミラー化されている限りは、直線部分およびテーパー化部分を設けてもよい。
エキシマー光源出力
【００９３】
図７Ａおよび図７Ｂに本発明のエキシマー光源サブシステムの実施態様の光出力スペクトルを示す。即ち、図７Ａに示す出力スペクトルは、２００ｎｍ〜９００ｎｍにある光源であり、図７Ｂに示す出力スペクトルは、２００ｎｍ〜２５０ｎｍの波長の光に焦点を当てた展開モードにある。両スペクトルから、ランプ即ち光源が２２２ｎｍを中心とした大きな信号を出力していることが明らかである。励起光フィルターは、約２２５ｎｍを超える波長すべてを抑制または遮断するものである。他の実施態様では、これらフィルターは約２２４ｎｍを超える波長の光を遮断するものである。２２２ｎｍを中心とし、そして約２０５ｎｍ〜約２２５ｎｍの波長帯をもつ、あるいは別な実施態様では２０５ｎｍ〜２２４ｎｍの波長帯をもつ狭い波長の光を出力するのは、サンプルに存在する恐れのあるＮＯの同時励起を抑制または排除するためである。ＳＯ２およびＮＯの吸収スペクトルおよび発光スペクトルは、約１９０ｎｍ〜約２３０ｎｍの範囲にある紫外線域と同じ電磁スペクトル帯で発生する。ところが、ＮＯ吸収スペクトルは、多数の比較的広い間隔の吸収ピークからなり、その一方で、ＳＯ２吸収スペクトルは、多数のより狭い間隔の吸収ピークからなる。約２２２ｎｍを中心とした狭い波長帯にある光は、ＮＯの２つの吸収ピーク間にあり、その一方でＳＯ２吸収ピークと重なっている。従って、ＳＯ２吸収を励起するのに好適な光は、フィルター処理エキシマー光源からの光や、より理想的には将来利用可能になると考えられるレーザーからの光などの２２２ｎｍを中心とした狭い波長帯の光であり、この光はＮＯ励起を抑制または最小限に抑えることができ、従ってＳＯ２検出におけるＮＯ干渉を抑制できる。ＵＳＰ７，２４４，３９５に開示されているように、蛍光反応チャンバーにおいて紫外線光を照射する前にサンプルにオゾンを添加すると、ＮＯの破壊によりＮＯ干渉を抑制または排除できる。この公報の開示内容は、本明細書に援用するものである。このように、本発明の一実施態様の場合、ＮＯ化学発光装置は、２２２ｎｍを中心とする紫外線光に対して不活性な酸化窒素ＮＯ２にＮＯを転換するオゾン導入ユニットだけで構成できる。
【００９４】
本明細書で引用した従来例は、そのうちの幾つかが単に例示に過ぎない場合でも、法律で許された援用例である。本発明を好適な実施態様について説明してきたが、当業者ならば、本開示から、本発明の以上説明し、かつ特許請求の範囲に記載した精神および範囲から逸脱しなくても、各種の変更が本発明において可能であることを理解できるはずである。
【図１Ａ】
2012508890.tif 000006
【図１Ｂ】
2012508890.tif 000007
【図１Ｃ】
2012508890.tif 000008
【図２Ａ】
2012508890.tif 000009
【図２Ｂ】
2012508890.tif 000010
【図２Ｃ】
2012508890.tif 000011
【図３】
2012508890.tif 000012
【図４Ａ】
2012508890.tif 000013
【図４Ｂ】
2012508890.tif 000014
【図４Ｃ】
2012508890.tif 000015
【図５】
2012508890.tif 000016
【図６Ａ】
2012508890.tif 000017
【図６Ｂ】
2012508890.tif 000018
【図６Ｃ】
2012508890.tif 000019
【図６Ｄ】
2012508890.tif 000020
【図６Ｅ】
2012508890.tif 000021
【図６Ｆ】
2012508890.tif 000022
【図７Ａ】
2012508890.tif 000023
【図７Ｂ】
2012508890.tif 000024
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
サンプルまたはサンプル成分の分析装置において、
サンプルを供給するサンプル供給システムを有し；
エキシマー光源および
高電圧電源を備え、
このエキシマー光源が検出すべき蛍光活性種の最適な吸収周波数を中心とした狭い波長帯または周波数帯をもつ励起光を発光する光源装置を有し、
サンプルを受け取るサンプル入口と、
検出チャンバーからサンプルを排出するサンプル出口と、
エキシマー光源と光学的に連絡し、かつ検出チャンバーへの励起光を受け取る励起光入口と、そして
励起光によって励起された検出チャンバー内の蛍光活性種が発光する蛍光の一部を受け取る蛍光出口を備えた検出チャンバーを有し； 
上記検出素子と光学的に連絡し、かつ検出素子からの電流信号を検出チャンバー内の蛍光活性種の濃度に転換し、従ってサンプル中の対応する元素の濃度に転換する検出素子を有し；そして
光源の出力光特性値を連続的にモニタリングする光センサー素子を備え、さらに現時点での光源出力特性値を受け取り、現時点での値を検定処理時に誘導された所定組の光源出力特性値と比較し、変化値を削減し、この変化値に基づいて検出素子信号を調整する処理ユニットを備えたソフトウェア検出信号フィードバック補正装置を有することを特徴とする分析装置。
【請求項２】
さらに燃焼システムをサンプル供給システムと検出システムとの間に配設し、この燃焼システムが、
燃焼域、
酸化剤供給サブシステム、
サンプル入口、
少なくとも一つの酸化剤入口、
検出チャンバーのサンプル入口に接続された出口、および
燃焼域を高温に維持するヒーター素子を備え、そして
この燃焼システムで、サンプル中のほぼすべての酸化性成分を対応する酸化物に酸化する請求項１に記載の分析装置。
【請求項３】
サンプルが炭化水素含有サンプル、燃料、化学反応装置流れ、精製装置流れ、または通気管ガス流れからなる請求項１に記載の分析装置。
【請求項４】
ガソリン、灯油、ジェット燃料、ディーゼル燃料、他の炭化水素系燃料、およびこれらの混合体または複合体からなる群から上記燃料を選択する請求項３に記載の分析装置。
【請求項５】
窒素、硫黄およびこれらの混合体または複合体からなる群から上記元素を選択する請求項１に記載の分析装置。
【請求項６】
上記蛍光活性種が二酸化硫黄、上記エキシマー光源が塩化クリプトンガスエキシマー光源、そして上記波長帯の中心が約２２２ｎｍである請求項５に記載の分析装置。
【請求項７】
オートサンプラー、直接注入用セプタム、連続サンプリング用サンプリングループ、分析分離システムおよびこれらの混合体または複合体からなる群から上記サンプル供給システムを選択する請求項１に記載の分析装置。
【請求項８】
ＧＣ、ＬＣ、ＭＰＬＣ、ＨＰＬＣ、ＬＰＬＣ、電気泳動装置およびこれらの混合体または複合体からなる群から上記分析分離システムを選択する請求項１に記載の分析装置。
【請求項９】
上記高電圧電源が、
高周波出力を出力するＤＣ電源、
ブリッジ制御素子、
スイッチユニット、
変圧器、
周波数設定抵抗素子、
電流センサー素子、
分圧素子、
電圧測定装置、
シャント抵抗素子、および
電流測定装置を有し、
エキシマー光源に供給されている電圧および電流をブリッジ制御素子によって制御し、検定間にある所望レベルに励起光強度を維持する請求項１に記載の分析装置。
【請求項１０】
サンプル供給ユニットと；
酸化剤供給ユニットと；
燃焼域、およびサンプルの酸化性成分を対応する酸化物および水に酸化するのに十分な温度に燃焼域を維持するヒーター素子を備えた炉；
検出チャンバーと、
上記炉と検出チャンバーとを相互接続する伝達管と、
検出チャンバーと光学的に連絡し、検出すべき蛍光活性種の最適吸収周波数を中心とした狭い波長帯または周波数帯の光を発光するエキシマー光源と、
検出チャンバーと光学的に連絡して、励起光によって励起された検出チャンバー内の蛍光活性種によって発光した蛍光の一部を検出する光検出素子と、そして
光検出素子の出力を少なくともの一つの酸化物の元素のサンプルにおける濃度に転換する分析素子を備えた検出システムを有する装置にサンプルを供給する工程、
サンプルの酸化性化合物を対応する酸化物および水に酸化して酸化処理混合物を形成する工程、
酸化処理混合物を検出チャンバーに送る工程、
励起光で酸化処理混合物の酸化物を励起して蛍光活性種を形成する工程、
励起光によって励起された検出チャンバー内の蛍光活性種が発光する蛍光部分を検出する工程、
励起光によって励起された検出チャンバー内の蛍光活性種が発光する蛍光部分からサンプル内の所定元素の濃度を決定する工程、および
光源の出力光特性値を連続的にモニタリングする光センサー素子、および現時点での光源出力特性値を受け取り、現時点での値を検定処理時に誘導された所定組の光源出力特性値と比較し、変化値を出力する処理ユニットを備えたソフトウェア検出信号フィードバック補正装置によって決定された光出力変化値に基づいて検出素子信号を調整する工程からなることを特徴とする方法。
【手続補正書】
【提出日】平成23年12月9日(2011.12.9)
【手続補正１】
【補正対象書類名】明細書
【補正対象項目名】００６５
【補正方法】変更
【補正の内容】
【００６５】
窒素および硫黄の両者を検出するシステムの場合、酸化処理されたサンプルを２つの部分に分割できる。即ち、硫黄検出システムに行く部分と窒素検出システムに行く部分である。蛍光サブシステムと化学発光サブシステムをもつシステムの場合、化学発光サブシステムはＮＯとして窒素を測定し、蛍光サブシステムはＳＯ２として硫黄を測定する。
【国際調査報告】
2012508890.tif 000025